(57)【特許請求の範囲】
【請求項１】
印字機能を備えたプリンタ本体と、保護情報を含むデータを記憶するメモリが実装されて前記プリンタ本体の内部に収納される回路基板と、前記プリンタ本体のフレームにネジで固定される回路基板ケースと、前記回路基板を保持する回路基板ホルダと、前記ネジの頭部を覆って該ネジの操作を防止する規制部材とを有するプリンタにおいて、
前記回路基板は、前記メモリの実装部分が前記プリンタ本体のフレームから突出し、
前記回路基板ケースは、前記回路基板の前記フレームから突出した部分を収納し、
前記回路基板ホルダは、前記回路基板を貫通する筒状部と、前記メモリを覆うカバー部とを有し、前記筒状部で前記回路基板を保持し、
前記筒状部、前記回路基板ケース及び前記規制部材にそれぞれ貫通孔を形成し、これら貫通孔に挿通したワイヤの両端部を封印部材で固着していることを特徴とするプリンタ。
【発明の詳細な説明】
【技術分野】
【０００１】
本発明は、収納された回路基板のメモリに、改ざんされては困る会計情報等の保護情報を記憶するプリンタに関する。
【背景技術】
【０００２】
様々な情報を印刷するプリンタには、印刷内容等に関するデータを記憶するメモリが実装された回路基板を搭載してある。特に、キャッシュレジスターのような会計情報を処理する装置に接続されたプリンタでは、搭載された回路基板のメモリに会計情報が記憶される。
【０００３】
会計情報を改ざんされないよう確実に保護するために、メモリが実装された回路基板を封印し、封印を破らずにはメモリを取り外すことができないようにしたプリンタが種々知られている。
【０００４】
例えば、特許文献１には、プリンタに入力された情報を記憶するメモリが実装されたインターフェイス基板をインターフェイス基板カバーで支持し、インターフェイス基板カバーをベースフレームの底に設けた底板へ封印用ネジによって固定したプリンタが記載されている。
【０００５】
このプリンタでは、封印用ネジの封印を破ってネジを外し、インターフェイス基板カバーを底板から取り外さなければ、プリンタ外部からインターフェイス基板上のメモリに接近することができないので、メモリに記憶されたデータは一応保護されている。
【０００６】
しかし、封印用ネジを外さなくても、ベースフレームの内側からはインターフェイス基板及びこれに実装されたメモリを取り外すことができるので、メモリに記憶されたデータが確実に保護されているとはいえない。
【先行技術文献】
【特許文献】
【０００７】
【特許文献１】特開２００７-２４２９１号公報
【発明の概要】
【発明が解決しようとする課題】
【０００８】
本発明が解決しようとする課題は、封印状態を維持したままでは、プリンタ本体の外部からも内部からも回路基板に実装したメモリを取り外すことができず、メモリに記憶した改ざんされたくない保護情報を確実に保護することができるプリンタを提供することにある。
【課題を解決するための手段】
【０００９】
本発明のプリンタは、印字機能を備えたプリンタ本体と、保護情報を含むデータを記憶するメモリが実装されて前記プリンタ本体の内部に収納される回路基板と、前記プリンタ本体のフレームにネジで固定される回路基板ケースと、前記回路基板を保持する回路基板ホルダと、前記ネジの頭部を覆って該ネジの操作を防止する規制部材とを有するプリンタにおいて、前記回路基板は、前記メモリの実装部分が前記プリンタ本体のフレームから突出し、前記回路基板ケースは、前記回路基板の前記フレームから突出した部分を収納し、前記回路基板ホルダは、前記回路基板を貫通する筒状部と、前記メモリを覆うカバー部とを有し、前記筒状部で前記回路基板を保持し、前記筒状部、前記回路基板ケース及び前記
規制部材にそれぞれ貫通孔を形成し、これら貫通孔に挿通したワイヤの両端部を封印部材で固着している。
【００１０】
なお、本発明において、保護情報とは、会計情報のような改ざんされては困る保護されるべき情報をいう。
【発明の効果】
【００１１】
本発明のプリンタによれば、プリンタ本体の外部から、ネジを外して回路基板ケースを取り外し、回路基板に実装されたメモリを露出させるためにはワイヤを切断する必要があり、また、プリンタ本体の内側からは、回路基板ホルダのカバー部で覆われたメモリに接近することができないので、回路基板上のメモリに記憶された保護情報を改ざんされないよう確実に保護することができる。
【図面の簡単な説明】
【００１２】
【図１】本発明の実施例を示すプリンタの背面側斜視図である。
【図２】本発明の実施例に係るベースフレームおよび回路基板ケースの斜視図である。
【図３】本発明の実施例を示すプリンタの要部断面図である。
【図４】図３の一部拡大図である。
【発明を実施するための形態】
【００１３】
以下、本発明の実施形態を図面に基づいて詳細に説明する。
【００１４】
図１は、本発明の実施例に係るキャッシュレジスター用のプリンタ１を背面から見た斜視図である。
【００１５】
プリンタ１は、レジスターのコンピュータに接続され、レジスターのコンピュータから入力された商品販売に関するデータ（商品名、商品の価格、課税額、販売日時、販売員の名前等）を、内蔵する印字装置でロール状の感熱紙に印刷し、印刷された部分を排紙口２からレシートとして発行する。
【００１６】
プリンタ１は、印字機能を備えたプリンタ本体３と、プリンタ本体３の背面下部に装着された回路基板ケース４を備える。
【００１７】
プリンタ本体３は、ベースフレーム５（図２）及び上部フレームより成るフレームの外面をプリンタカバー６で覆って外観が略箱状に形成される。図示しないが、プリンタ本体３の内部において、ベースフレーム５の上方には、印字装置、感熱紙、カッター等が収納されている。
【００１８】
図３及び図４に示すように、ベースフレーム５の底には底板７が設けられ、ベースフレーム５の内部に収納された回路基板８が底板７に基板止めネジ９で固定されている。この基板止めネジ９は、プリンタ本体３の内部から比較的容易に外すことができる。
【００１９】
回路基板８の一端部はベースフレーム５の背面側端部から外部へ突出している。回路基板８のベースフレーム５内に収納されている基板本体部分８ａには、プリンタ１の印刷機能に関する様々な処理を行なう回路が実装されている。
【００２０】
また、回路基板８のベースフレーム５から突出した突出部分８ｂには、プリンタ１をキャッシュレジスターのコンピュータに接続するための回路、キャッシュレジスターのコンピュータから入力された会計情報を含むデータを記憶するメモリ１０等が実装されている。
【００２１】
回路基板８には、基板本体部分８ａと突出部分８ｂとの境界部に嵌合孔１１が形成されている。回路基板８をベースフレーム５内に収納する際に、底板７の背面側端部に形成した位置決め突起１２を嵌合孔１１へ嵌合することにより、回路基板８がベースフレーム５に対して位置決めされ、突出部分８ｂが正確な長さだけベースフレーム５から突出する。
【００２２】
回路基板ケース４は、内部に回路基板８の突出部分８ｂを収納してベースフレーム５に固定される。
【００２３】
回路基板ケース４のベースフレーム５と逆側の面には、回路基板８上の回路とキャッシュレジスターのコンピュータを接続するための端子２５が設置されている（図１及び図２参照）。
【００２４】
回路基板ケース４のベースフレーム５側の端面は開口し、開口端面の上端に起立片１３が形成される。そして、回路基板ケース４の開口端面から内部に回路基板８の突出部分８ｂを挿入し、起立片１３をベースフレーム５の背面に重ねて外部から複数のネジ１４をねじ込むことにより、回路基板ケース４がプリンタ本体３に固定される。
【００２５】
なお、回路基板ケース４の下端は、ベースフレーム５の背面下端部に形成された係合突起２４に引っ掛けてある。
【００２６】
回路基板ケース４の上面には、少なくとも１本のネジ１４の頭部を覆ってその操作を防止する規制部材１５が取り付けられる。
【００２７】
規制部材１５は、回路基板ケース４を切り起こして形成された一対の抑え片３０の間に係合して位置決めされる。規制部材１５の端部には、ネジ１４の頭部を背面側及び両側から覆う被覆部１６が形成されている。
【００２８】
従って、規制部材１５を取り除かない限り、ネジ１４を回して外し、回路基板ケース４をベースフレーム５から分離して回路基板８の突出部分８ｂを露出させることはできない。
【００２９】
回路基板ケース４の内部において、回路基板８の突出部分８ｂに形成された位置決め孔３１に回路基板ホルダ１７の筒状部１８が貫通して係合している。筒状部１８の中間部は、回路基板８の上面が引っかかって抜けないよう大径となっている。筒状部１８の中心には、軸方向に沿う貫通孔１８’が形成されている。
【００３０】
また、回路基板ホルダ１７は、回路基板８の上面に実装されたメモリ１０を覆うカバー部１９を有する。カバー部１９は、メモリ１０の上方を覆う上板２０の両側及びベースフレーム５側にそれぞれ側壁２１を形成して成り、カバー部１９を貫通するように筒状部１８が一体に形成されている。
【００３１】
従って、筒状部１８を回路基板８から引き抜かない限り、カバー部１９を外してメモリ１０を露出させることはできない。
【００３２】
筒状部１８の貫通孔１８’と上下方向に一致する位置において、回路基板ケース４の上面部及び下面部にそれぞれ貫通孔４’，４”が形成されると共に、規制部材１５に貫通孔１５’が形成されている。
【００３３】
また、規制部材１５の貫通孔１５’、回路基板ケース４の貫通孔４’，４”、及び、筒
状部１８の貫通孔１８’に１本のワイヤ２２を通し、ワイヤ２２の両端部を取り外しできない封印部材２３で固着してある。
【００３４】
このように、回路基板８と、回路基板８を貫通しメモリ１０を覆う回路基板ホルダ１７と、回路基板８を収納した回路基板ケース４と、ネジ１４を覆う規制部材１５を１本のワイヤ２２で相互に結合してあるので、ワイヤ２２を切断しないと、規制部材１５を取り除いてネジ１４を外すことができず、回路基板ケース４を回路基板８から分離することもできず、回路基板ホルダ１７を取り除いてメモリ１０を露出させることもできない。
【００３５】
このため、破損したメモリ１０を交換したり、定期的にメモリ１０用の電池を交換するために、ワイヤ２２を切断して回路基板ケース４を外すまでは、回路基板ケース４の外部からも、プリンタ本体３の内部からもメモリ１０を取り外すことはできない。
【符号の説明】
【００３６】
１          プリンタ
２          排紙口
３          プリンタ本体
４          回路基板ケース
４’，４”  貫通孔
５          ベースフレーム
６          プリンタカバー
７          底板
８          回路基板
８ａ        基板本体部分
８ｂ        突出部分
９          基板止めネジ
１０        メモリ
１１        嵌合孔
１２        位置決め突起
１３        起立片
１４        ネジ
１５        規制部材
１５’      貫通孔
１６        被覆部
１７        回路基板ホルダ
１８        筒状部
１８’      貫通孔
１９        カバー部
２０        上板
２１        側壁
２２        ワイヤ
２３        封印部材
２４        係合突起
２５        端子
３０        抑え片
３１        位置決め孔
【図１】
0005829167.tif 000002
【図２】
0005829167.tif 000003
【図３】
0005829167.tif 000004
【図４】
0005829167.tif 000005